(57)【要約】【目的】  本発明はテントの設営を容易にする。【構成】  テントＴ１は、テントシート１００、スリーブ２００ａ、係止部３００ａ及びポール４００ａを備えている。テントシート１００の屋根部１１０は頂部１１２を挟んで対角に位置する角部１１１ａ、１１１ｂを有する。スリーブ２００ａは角部１１１ａから頂部１１２までの中間地点１１４ａまで延びている。係止部３００ａは角部１１１ｂに設けられている。ポール４００ａの挿入部４１０ａがスリーブ２００ａの開放端部２２０ａからスリーブ２００ａ内に挿入され、挿入部４１０ａの第１端４１１ａがスリーブ２００ａの封止端部２２０ａに当接し、ポール４００ａが円弧状に湾曲し且つポール４００の第２端４２１ａが係止部３００ａに係止されることにより、挿入部４１０ａがスリーブ２００ａを持ち上げて支持し且つポール４００ａの露出部４２０ａが露出する。【選択図】      図１Ｃ
2019044464.tif 000002
【特許請求の範囲】
【請求項１】
上側に膨張可能な屋根部を有するテントシートと、
スリーブと、
第１係止部と、
ポールとを備えており、
前記テントシートの前記屋根部は、頂部と、前記屋根部の端に各々設けられており且つ平面視において前記頂部を挟んで互いに反対側に位置する第１部および第２部と、前記第１部から前記頂部までの第１稜線部と、前記頂部から前記第２部までの第２稜線部とを有しており、
前記スリーブは、前記第１部から前記第１稜線部に沿って第１中間地点まで延びており、前記第１中間地点は、前記第１稜線部上の前記第１部と前記頂部との間に設けられており、前記スリーブは、前記第１部側の封止端部と、その反対側の開放端部とを有しており、
前記第１係止部は、前記第２部に設けられており、
前記ポールは、第１端を有する挿入部と、前記第１端の反対側の第２端を有する露出部とを有しており、
前記ポールの前記挿入部が前記開放端部から前記スリーブ内に挿入され、前記挿入部の前記第１端が前記スリーブの前記封止端部に当接し、前記ポールが円弧状に湾曲し且つ前記ポールの前記第２端が前記第１係止部に係止されることにより、前記ポールの前記挿入部が前記スリーブを持ち上げて支持し、且つ前記ポールの前記露出部が前記スリーブの前記開放端部と前記第１係止部との間で露出するテント。
【請求項２】
請求項１記載のテントにおいて、
前記スリーブは、前記第１部から前記第１稜線部および前記第２稜線部に沿って第２中間地点まで延びており、前記第２中間地点は、前記第２稜線部上の前記頂部と前記第２部との間に設けられているテント。
【請求項３】
請求項１または２記載のテントにおいて、
少なくとも一つの吊り部をさらに備えており、
前記少なくとも一つの吊り部は、前記屋根部の前記第２稜線部の前記スリーブの前記開放端部と前記第１係止部との間に設けられており且つ前記ポールの前記露出部に着脱可能に吊り下げられているテント。
【請求項４】
請求項１〜３の何れかに記載のテントにおいて、
前記スリーブの前記封止端部に設けられた第２係止部をさらに備えており、
前記第１係止部および前記第２係止部は、係止具によって地面に係止可能であるテント。
【請求項５】
上側に膨張可能な屋根部を有するテントシートを用意し、
ポールを用意し、且つ
前記ポールを前記屋根部に取り付けるようになっており、
前記テントシートの前記屋根部は、頂部と、前記屋根部の端に各々設けられており且つ平面視において前記頂部を挟んで互いに反対側に位置する第１部および第２部と、前記第１部から前記頂部までの第１稜線部と、前記頂部から前記第２部までの第２稜線部と、スリーブと、第１係止部とを有しており、
前記スリーブは、前記第１部から前記第１稜線部に沿って第１中間地点まで延びており、前記第１中間地点は、前記第１稜線部上の前記第１部と前記頂部との間に設けられており、前記スリーブは、前記第１部側の封止端部と、その反対側の開放端部とを有しており、
前記第１係止部は、前記第２部に設けられており、
前記ポールは、第１端を有する挿入部と、前記第１端の反対側の第２端を有する露出部とを有しており、
前記ポールの前記屋根部に対する取り付けは、前記ポールの前記挿入部を前記開放端部から前記スリーブ内に挿入し、前記挿入部の前記第１端を前記スリーブの前記封止端部に当接させ、前記挿入部の前記第１端を支点として前記ポールを円弧状に湾曲させ、この状態で、前記ポールの前記第２端を前記第１係止部に係止させるテントの設営方法。
【請求項６】
請求項５記載のテントの設営方法において、
前記スリーブは、前記第１部から前記第１稜線部および前記第２稜線部に沿って第２中間地点まで延びており、前記第２中間地点は、前記第２稜線部上の前記頂部と前記第２部との間に設けられているテントの設営方法。
【請求項７】
請求項５または６記載のテントの設営方法において、
前記屋根部の前記第２稜線部の前記スリーブの前記開放端部と前記第１係止部との間には、少なくとも一つの吊り部が設けられており、
前記ポールの前記屋根部に対する取り付け後に、前記少なくとも一つの吊り部を前記ポールの前記露出部に吊り下げるテントの設営方法。
【発明の詳細な説明】
【技術分野】
【０００１】
本発明は、テントおよびテントの設営方法に関する。
【背景技術】
【０００２】
従来のテントは、上側に膨張可能な屋根部を有するテントシートと、複数のスリーブと、複数の補助帯と、複数のポールとを備えている。スリーブは、屋根部の幅方向の一端から他端にかけて円弧状に各々延びている。各スリーブの一端は封止されている一方、他端は開放されている。補助帯は、スリーブの他端に各々設けられている。ポールは、スリーブに各々挿入され、ポールの一端がスリーブの一端の底に当接し、且つポールの他端が補助帯に係合されている。これによりポールが円弧状に湾曲して、屋根部を上方に膨張させている。
【先行技術文献】
【特許文献】
【０００３】
【特許文献１】実開平３−４６６７０号公報
【発明の概要】
【発明が解決しようとする課題】
【０００４】
スリーブが屋根部の幅方向の一端から他端にかけて各々延びているため、ポールをスリーブに挿入しつつ、ポールを円弧状に湾曲させなければならず且つポールの他端（終端）側の部分をスリーブに挿入する際には、ポールを把持する部分が殆どない。加えて、補助帯は、スリーブの他端に各々設けられているため、ポールを全てスリーブ内に挿入した後でなければ、ポールの他端を補助帯に係合させることができない。このため、上記従来のテントでは、ポールをスリーブに挿入する作業が困難であり、当該テントの設営が困難であった。
【０００５】
本発明は、設営を容易に行うことができるテントおよびテントの設営方法を提供することにある。
【課題を解決するための手段】
【０００６】
上記課題を解決するために、本発明の一態様のテントは、上側に膨張可能な屋根部を有するテントシートと、スリーブと、第１係止部と、ポールとを備えている。テントシートの屋根部は、頂部と、屋根部の端に各々設けられており且つ平面視において頂部を挟んで互いに反対側に位置する第１部および第２部と、第１部から頂部までの第１稜線部と、頂部から第２部までの第２稜線部とを有している。スリーブは、第１部から第１稜線部に沿って第１中間地点まで延びている。第１中間地点は、第１稜線部上の第１部と頂部との間に設けられている。スリーブは、第１部側の封止端部と、その反対側の開放端部とを有している。第１係止部は、第２部に設けられている。ポールは、第１端を有する挿入部と、第１端の反対側の第２端を有する露出部とを有している。ポールの挿入部が開放端部からスリーブ内に挿入され、挿入部の第１端がスリーブの封止端部に当接し、ポールが円弧状に湾曲し且つポールの第２端が第１係止部に係止されることにより、ポールの挿入部がスリーブを持ち上げて支持し、且つポールの露出部がスリーブの開放端部と第１係止部との間で露出するようになっている。
【０００７】
このような態様のテントは容易に設営できる。その理由は以下のとおりである。第１に、スリーブが第１部から第１稜線部に沿って第１中間地点まで延びているだけであり、ポールの露出部をスリーブに挿入する必要がないので、ポールの露出部を把持してポールの挿入部をスリーブに容易に挿入することができる。第２に、ポールの挿入部をスリーブに挿入させ、当該ポールの第１端スリーブの封止端部に当接させた状態で、この当接部を支点にポールを円弧状に湾曲させ、ポールの第２端を第１係止部に係止させるだけで、ポールがスリーブを持ち上げて支持する。第１および第２の理由から、ポールのテントシートに対する取付が簡単になる。
【０００８】
スリーブは、第１部から第１稜線部および第２稜線部に沿って第２中間地点まで延びた構成とすることが可能である。第２中間地点は、第２稜線部上の頂部と第２部との間に設けられていても良い。
【０００９】
上記した何れの態様のテントは、少なくとも一つの吊り部をさらに備えていても良い。少なくとも一つの吊り部は、屋根部の第２稜線部のスリーブの開放端部と第１係止部との間に設けられており且つポールの露出部に着脱可能に吊り下げられた構成とすることが可能である。このような態様のテントによる場合、少なくとも一つの吊り部をポールの露出部に吊り下げるだけで、第２稜線部を少なくとも一つの吊り部を介してポールに支持させることができる。
【００１０】
上記した何れの態様のテントは、スリーブの封止端部に設けられた第２係止部をさらに備えた構成とすることが可能である。第１係止部および第２係止部は、係止具によって地面に係止可能な構成とすることが可能である。このような態様のテントによる場合、第１係止部および第２係止部が係止具によって地面に係止される。
【００１１】
本発明の一態様のテントの設営方法は、上側に膨張可能な屋根部を有するテントシートを用意し、ポールを用意し、且つポールを屋根部に取り付けるようになっている。テントシートの屋根部は、頂部と、屋根部の端に各々設けられており且つ平面視において頂部を挟んで互いに反対側に位置する第１部および第２部と、第１部から頂部までの第１稜線部と、頂部から第２部までの第２稜線部と、スリーブと、第１係止部とを有している。スリーブは、第１部から第１稜線部に沿って第１中間地点まで延びている。第１中間地点は、第１稜線部上の第１部と頂部との間に設けられている。スリーブは、第１部側の封止端部と、その反対側の開放端部とを有している。第１係止部は、第２部に設けられている。ポールは、第１端を有する挿入部と、第１端の反対側の第２端を有する露出部とを有している。
ポールの屋根部に対する取り付けは、ポールの挿入部を開放端部からスリーブ内に挿入し、挿入部の第１端をスリーブの封止端部に当接させ、挿入部の第１端を支点としてポールを円弧状に湾曲させ、この状態で、ポールの第２端を第１係止部に係止させるようになっている。
【００１２】
このような態様のテントの設営方法による場合、テントの設営が容易になる。その理由は以下のとおりである。第１に、スリーブが第１部から第１稜線部に沿って第１中間地点まで延びているだけであり、ポールの露出部をスリーブに挿入する必要がないので、ポールの露出部を把持してポールの挿入部をスリーブに容易に挿入することができる。第２に、ポールの挿入部をスリーブに挿入させ、当該ポールの第１端スリーブの封止端部に当接させた状態で、この当接部を支点にポールを円弧状に湾曲させ、ポールの第２端を第１係止部に係止させるだけで、ポールがスリーブを持ち上げて支持する。第１および第２の理由から、ポールのテントシートに対する取付が簡単になる。
【００１３】
スリーブは、第１部から第１稜線部および第２稜線部に沿って第２中間地点まで延びた構成とすることが可能である。第２中間地点は、第２稜線部上の頂部と第２部との間に設けられていても良い。
【００１４】
屋根部の第２稜線部のスリーブの開放端部と第１係止部との間には、少なくとも一つの吊り部が設けられていても良い。この場合、上記した何れかの態様のテントの設営方法は、ポールの屋根部に対する取り付け後に、少なくとも一つの吊り部をポールの露出部に吊り下げるようになっている。このような態様のテントによる場合、少なくとも一つの吊り部をポールの露出部に吊り下げるだけで、第２稜線部を少なくとも一つの吊り部を介してポールに支持させることができる。
【図面の簡単な説明】
【００１５】
【図１Ａ】本発明の実施例１に係るテントの正面図である。
【図１Ｂ】前記テントの背面図である。
【図１Ｃ】前記テントの平面図である。
【図１Ｄ】前記テントの底面図である。
【図１Ｅ】前記テントの右側面図である。
【図１Ｆ】前記テントの左側面図である。
【図２Ａ】前記実施例１に係るテントの第１設計変形例の正面図である。
【図２Ｂ】前記第１設計変形例テントの背面図である。
【図２Ｃ】前記第１設計変形例テントの平面図である。
【図２Ｄ】前記第１設計変形例テントの底面図である。
【図２Ｅ】前記第１設計変形例テントの右側面図である。
【図２Ｆ】前記第１設計変形例テントの左側面図である。
【図３Ａ】本発明の実施例２に係るテントの正面図である。
【図３Ｂ】前記テントの背面図である。
【図３Ｃ】前記テントの平面図である。
【図３Ｄ】前記テントの底面図である。
【図３Ｅ】前記テントの右側面図である。
【図３Ｆ】前記テントの左側面図である。
【図４Ａ】本発明の実施例３に係るテントの正面図である。
【図４Ｂ】前記テントの背面図である。
【図４Ｃ】前記テントの平面図である。
【図４Ｄ】前記テントの底面図である。
【図４Ｅ】前記テントの右側面図である。
【図４Ｆ】前記テントの左側面図である。
【発明を実施するための形態】
【００１６】
以下、本発明の実施例１〜３について説明する。
【実施例１】
【００１７】
以下、本発明の実施例１に係るテントＴ１およびその設計変形例について図１Ａ〜図２Ｆを参照しつつ説明する。図１Ａ〜図１Ｆには、実施例１に係るテントＴ１が示されており、図２Ａ〜図２Ｆには、実施例１のテントＴ１の第１設計変形例が示されている。
【００１８】
テントＴ１はテントシート１００を備えている。テントシート１００は、屋根部１１０を有している。屋根部１１０は平面視において略矩形状であって、上側に膨張可能な可撓性を有するシートである。図１Ｃでは、屋根部１１０は膨張状態で平面視において略正方形であり、図２Ｃでは、屋根部１１０は膨張状態で平面視において略長方形である。
【００１９】
屋根部１１０は、四つの角部１１１ａ（第１部）、１１１ｂ（第２部）、１１１ｃ（第２部）、１１１ｄ（第１部）と、頂部１１２と、四つの稜線部１１３ａ（第１稜線部）、１１３ｂ（第２稜線部）、１１３ｃ（第２稜線部）、１１３ｄ（第１稜線部）とを有している。角部１１１ａ、１１１ｄは、屋根部１１０の一端に設けられており、角部１１１ｃ、１１１ｂは、屋根部１１０の一端の反対側の他端に設けられている。角部１１１ａと角部１１１ｂは頂部１１２を挟んで互いに対角に位置し（互いに反対側に位置し）、角部１１１ｃと角部１１１ｄは頂部１１２を挟んで互いに対角に位置している（互いに反対側に位置している）。稜線部１１３ａは、屋根部１１０の角部１１１ａから頂部１１２までの部分である。稜線部１１３ｂは、屋根部１１０の頂部１１２から角部１１１ｂまでの部分であり、稜線部１１３ａに連続して延びている。稜線部１１３ｃは、屋根部１１０の角部１１１ｃから頂部１１２までの部分である。稜線部１１３ｄは、屋根部１１０の頂部１１２から角部１１１ｄまでの部分であり、稜線部１１３ｃに連続して延びている。稜線部１１３ａ、１１３ｂと稜線部１１３ｃ、１１３ｄは、平面視において頂部１１２で互いに交差している。
【００２０】
屋根部１１０は、第１、第２、第３および第４面をさらに有している。第１面は稜線部１１３ａと稜線部１１３ｃで区画されている。第２面は稜線部１１３ｂと稜線部１１３ｄで区画されている。第３面は稜線部１１３ａと稜線部１１３ｄで区画されている。第４面は稜線部１１３ｃと稜線部１１３ｂで区画されている。第１面〜第４面の少なくとも一つに出入口が設けられていると良い。第１面〜第４面の少なくとも一つに、通気窓が設けられていても良いが、これに限定されるものではない。
【００２１】
テントシート１００は、底部１２０をさらに備えていても良い。底部１２０は、平面視において屋根部１１０とほぼ同じ略矩形状の可撓性を有するシートである。底部１２０と屋根部１１０とは各辺同士が接続されている。なお、底部１２０は省略可能である。
【００２２】
テントＴ１は二つのスリーブ２００ａ、２００ｂをさらに備えている。スリーブ２００ａは、角部１１１ａから稜線部１１３ａに沿って中間地点１１４ａ（第１中間地点）まで延びた可撓性を有するシートで構成された筒体であって、稜線部１１３ａに接続されている。中間地点１１４ａは、稜線部１１３ａ上の第１地点（角部１１１ａから頂部１１２までの略２/３の地点）と頂部１１２との間に設けられている。スリーブ２００ａは、角部１１１ａ側の封止端部２１０ａと、その反対側の開放端部２２０ａとを有している。封止端部２１０ａは、封止され、底を有している。この封止端部２１０ａは、補強されている。例えば、封止端部２１０ａは、スリーブ２００ａの封止端部２１０ａ以外の部分よりも強度が高い布地で構成されていても良いし、封止端部２１０ａが二重にされていても良いし、封止端部２１０ａの底に弾性体が設けられていても良い。開放端部２２０ａは、頂部１１２側に開放されている。
【００２３】
スリーブ２００ｂは、角部１１１ｄから稜線部１１３ｄに沿って中間地点１１４ｂまで延びた可撓性を有するシートで構成された筒体であって、稜線部１１３ｄに接続されている。中間地点１１４ｂは、稜線部１１３ｄ上の第２地点（角部１１１ｄから頂部１１２までの略２/３の地点）と頂部１１２との間に設けられている。スリーブ２００ｂは、角部１１１ｄ側の封止端部２１０ｂと、その反対側の開放端部２２０ｂとを有している。封止端部２１０ｂは、封止され、底を有している。この封止端部２１０ｂは、封止端部２１０ａと同様に、補強されている。開放端部２２０ｂは、頂部１１２側に開放されている。
【００２４】
テントＴ１は二つの第１係止部３００ａ、３００ｂをさらに備えている。第１係止部３００ａ、３００ｂは角部１１１ｂ、１１１ｃに設けられている。第１係止部３００ａ、３００ｂは、少なくとも係止リングを有していると良い。第１係止部３００ａ、３００ｂは、角部１１１ｂ、１１１ｃから離れるように伸びたベルトと、このベルトに設けられた係止リングとを有する構成とすることも可能である。
【００２５】
テントＴ１は、二つのポール４００ａ、４００ｂをさらに備えている。ポール４００ａ、４００ｂは、その長手方向に並ぶ複数のポール部を有しており、この複数のポール部の隣り合う二つのポール部同士が着脱可能に接続されている。
【００２６】
ポール４００ａは、挿入部４１０ａと、露出部４２０ａとを有している。挿入部４１０ａは、ポール４００ａの第１端４１１ａを有し、露出部４２０ａは、ポール４００ａの第１端４１１ａの反対側の第２端４２１ａを有している。挿入部４１０ａは、開放端部２２０ａからスリーブ２００ａ内に挿入されており、第１端４１１ａが開放端部２２０ａの底に当接する一方、第２端４２１ａは、第１係止部３００ａの係止リングに挿入され、係止されている。これにより、ポール４００ａが円弧状に湾曲し、ポール４００ａの挿入部４１０ａがスリーブ２００ａを上方に持ち上げて支持する。これに伴い、屋根部１１０の稜線部１１３ａもポール４００ａの挿入部４１０ａによって持ち上げられて支持される。この状態で、露出部４２０ａは、スリーブ２００ａの開放端部２２０ａと第１係止部３００ａとの間で稜線部１１３ｂに沿って配置されており且つ露出している。
【００２７】
ポール４００ｂは、挿入部４１０ｂと、露出部４２０ｂとを有している。挿入部４１０ｂは、ポール４００ｂの第１端４１１ｂを有し、露出部４２０ｂは、ポール４００ｂの第１端４１１ｂの反対側の第２端４２１ｂを有している。挿入部４１０ｂは、開放端部２２０ｂからスリーブ２００ｂ内に挿入されており、第１端４１１ｂが開放端部２２０ｂの底に当接する一方、第２端４２１ｂは、第１係止部３００ｂの係止リングに挿入され、係止されている。これにより、ポール４００ｂが円弧状に湾曲し、ポール４００ａの挿入部４１０ｂがスリーブ２００ｂを上方に持ち上げて支持する。これに伴い、屋根部１１０の稜線部１１３ｄもポール４００ｂの挿入部４１０ａによって持ち上げられて支持される。この状態で、露出部４２０ｂは、スリーブ２００ｂの開放端部２２０ｂと第１係止部３００ｂとの間で稜線部１１３ｃに沿って配置されており且つ露出している。露出部４２０ａ、４２０ｂは、平面視において頂部１１２で互いに交差している。
【００２８】
テントＴ１は少なくとも一つの吊り部５００ａ、５００ｂをさらに備えていても良い。少なくとも一つの吊り部５００ａは、屋根部１１０の稜線部１１３ｂに設けられおり、スリーブ２００ａの開放端部２２０ａと第１係止部３００ａとの間に位置し、且つポール４００ａの露出部４２０ａに着脱可能に吊り下げられている。これにより、屋根部１１０の稜線部１１３ｂが少なくとも一つの吊り部５００ａを介してポール４００ａによって持ち上げられ、支持される。例えば、少なくとも一つの吊り部５００ａは、稜線部１１３ｂから離れるように延びたベルトと、このベルトに設けられたフックとを有しており、フックが露出部４２０ａに引っ掛けられる構成とすることが可能である。または、少なくとも一つの吊り部５００ａは、稜線部１１３ｂから離れるように延びており且つ露出部４２０ａに結びつけられた紐などであっても良い。
【００２９】
少なくとも一つの吊り部５００ｂは、屋根部１１０の稜線部１１３ｃに設けられおり、スリーブ２００ｂの開放端部２２０ｂと第１係止部３００ｂとの間に位置し、且つポール４００ｂの露出部４２０ｂに着脱可能に吊り下げられている。これにより、屋根部１１０の稜線部１１３ｃが少なくとも一つの吊り部５００ｂを介してポール４００ｂによって持ち上げられ、支持される。例えば、少なくとも一つの吊り部５００ｂは、稜線部１１３ｃから離れるように延びたベルトと、このベルトに設けられたフックとを有しており、フックが露出部４２０ｂに着脱可能に引っ掛けられる構成とすることが可能である。または、少なくとも一つの吊り部５００ｂは、稜線部１１３ｃから離れるように延びており且つ露出部４２０ｂに結びつけられた紐などであっても良い。
【００３０】
なお、図１Ａ〜図１Ｅおよび図２Ａ〜図２Ｅでは、吊り部５００ａ、５００ｂは複数であり、稜線部１１３ｂ、１１３ｃに間隔をあけて配置されている。なお、吊り部５００ａ、５００ｂは省略できる。
【００３１】
テントＴ１は、吊り部６００をさらに備えていても良い。吊り部６００は、頂部１１２から離れるように延びており、ポール４００ａ、４００ｂの露出部４２０ａ、４２０ａの交差部に着脱可能に吊り下げられている。これにより、屋根部１１０の頂部１１２がポール４００ａ、４００ｂによって持ち上げられ、支持される。例えば、吊り部６００は、頂部１１２から離れるように延びており且つポール４００ａ、４００ｂの交差部に結びつけられた紐などで構成することが可能である。または、吊り部６００は、頂部１１２から離れるように延びたベルトと、このベルトに設けられたフックとを有しており、フックがポール４００ａ、４００ｂの交差部に着脱可能に引っ掛けられる構成とすることが可能である。なお、吊り部６００は省略可能である。
【００３２】
テントＴ１は二つの第２係止部７００ａ、７００ｂをさらに備えていても良い。第２係止部７００ａは、スリーブ２００ａの封止端部２１０ａに設けられている。第２係止部７００ｂは、スリーブ２００ｂの封止端部２１０ｂに設けられている。第２係止部７００ａ、７００ｂは、ペグなどの係止具によって地面に係止可能な構成である。例えば、第２係止部７００ａ、７００ｂは、封止端部２１０ａ、２１０ａから延びたベルトに係止具が挿入可能なリングを有する構成、または、封止端部２１０ａ、２１０ａから延びた紐であって係止具に結びつけることが可能な構成とすることが可能である。なお、第２係止部７００ａ、７００ｂは省略可能である。
【００３３】
第１係止部３００ａ、３００ｂも、ペグなどの係止具によって地面に係止可能な構成とすることが可能である。例えば、第１係止部３００ａ、３００ｂが、ベルトおよび係止リングを有している場合、ベルトに係止具が挿入可能なリングをさらに有する構成とすることが可能である。第１係止部３００ａ、３００ｂは、当該第１係止部３００ａ、３００ｂから延びた紐をさらに有し、この紐が地面に刺さった係止具に結びつけられる構成とすることが可能である。なお、第１係止部３００ａ、３００ｂは、係止具によって地面に係止可能な構成を有していなくても良い。
【００３４】
以下、上記したテントＴ１の設営方法について詳しく説明する。まず、テントシート１００を用意し、且つポール４００ａを用意する。その後、ポール４００ａの露出部４２０ａを把持してポール４００ａの挿入部４１０ａを、スリーブ２００ａの開放端部２２０ａからスリーブ２００ａ内に挿入し、挿入部４１０ａの第１端４１１ａを開放端部２２０ａの底に当接させる。その後、この当接部（第１端４１１ａ）を支点としてポール４００ａを円弧状に湾曲させ、その状態でポール４００ａの第２端４２１ａを第１係止部３００ａの係止リングに挿入し、係止させる。このとき、ポール４００ａの挿入部４１０ａがスリーブ２００ａおよび屋根部１１０の稜線部１１３ａを上方に持ち上げて支持し、且つポール４００ａの露出部４２０ａがスリーブ２００ａの開放端部２２０ａと第１係止部３００ａとの間で稜線部１１３ｂに沿って配置されて露出する。このようにしてポール４００ａが屋根部１１０に取り付けられる。
【００３５】
テントＴ１が少なくとも一つの吊り部５００ａを備えている場合、ポール４００ａを取り付けた後、少なくとも一つの吊り部５００ａをポール４００ａの露出部４２０ａに接近させる。これに伴って、少なくとも一つの吊り部５００ａが設けられた屋根部１１０の稜線部１１３ｂが持ち上げられる。そして、少なくとも一つの吊り部５００ａをポール４００ａの露出部４２０ａに引っ掛けるまたは結びつける。このようにして少なくとも一つの吊り部５００ａが露出部４２０ａに吊り下げられ、且つ屋根部１１０の稜線部１１３ｂが少なくとも一つの吊り部５００ａを介してポール４００ａに支持される。
【００３６】
その後、ポール４００ｂを用意する。ポール４００ｂの露出部４２０ｂを把持してポール４００ｂの挿入部４１０ｂをスリーブ２００ｂの開放端部２２０ｂからスリーブ２００ｂ内に挿入し、挿入部４１０ｂの第１端４１１ｂを開放端部２２０ｂの底に当接させる。その後、この当接部（第１端４１１ｂ）を支点としてポール４００ｂを円弧状に湾曲させ、ポール４００ｂの第２端４２１ｂを第１係止部３００ｂの係止リングに挿入し、係止させる。このとき、ポール４００ｂの挿入部４１０ｂがスリーブ２００ｂおよび屋根部１１０の稜線部１１３ｄを上方に持ち上げて支持し、且つポール４００ｂの露出部４２０ｂがスリーブ２００ｂの開放端部２２０ｂと第１係止部３００ｂとの間で稜線部１１３ｃに沿って配置されて露出し、露出部４２０ａに頂部１１２で交差する。このようにしてポール４００ｂが屋根部１１０に取り付けられる。
【００３７】
テントＴ１が少なくとも一つの吊り部５００ｂを備えている場合、ポール４００ｂを取り付けた後、少なくとも一つの吊り部５００ｂをポール４００ｂの露出部４２０ｂに接近させる。これに伴って、少なくとも一つの吊り部５００ｂが設けられた屋根部１１０の稜線部１１３ｃが持ち上げられる。そして、少なくとも一つの吊り部５００ｂをポール４００ｂの露出部４２０ｂに引っ掛けるまたは結びつける。このようにして少なくとも一つの吊り部５００ｂが露出部４２０ｂに吊り下げられ、且つ屋根部１１０の稜線部１１３ｃが少なくとも一つの吊り部５００ｂを介してポール４００ｂに支持される。
【００３８】
テントＴ１が吊り部６００を備えている場合、ポール４００ａ、４００ｂを取り付けた後、吊り部６００をポール４００ａ、４００ｂの交差部に接近させる。これに伴って、吊り部６００が設けられた屋根部１１０の頂部１１２が持ち上げられる。そして、吊り部６００ｂを交差部に引っ掛けるまたは結びつける。このようにして吊り部６００が交差部に吊り下げられ、且つ屋根部１１０の頂部１１２が吊り部６００を介して交差部に支持される。
【００３９】
上記したとおり、稜線部１１３ａがスリーブ２００ａを介してポール４００ａに支持され、稜線部１１３ｂが少なくとも一つの吊り部５００ａを介してポール４００ａに支持され、稜線部１１３ｄがスリーブ２００ｂを介してポール４００ｂに支持され、且つ稜線部１１３ｃが少なくとも一つの吊り部５００ｂを介してポール４００ｂに支持されることによって、テントシート１００の屋根部１１０が上方の膨張した状態（展開状態）で支持される。
【００４０】
以下、テントＴ１の収納方法について詳しく説明する。テントＴ１が少なくとも一つの吊り部５００ａ、５００ｂを備えている場合、少なくとも一つの吊り部５００ａ、５００ｂをポール４００ａ、４００ｂの露出部４２０ａ、４２０ｂから各々取り外す。テントＴ１が吊り部６００を備えている場合、吊り部６００をポール４００ａ、４００ｂの交差部から取り外す。
【００４１】
ポール４００ａ、４００ｂの第２端４２１ａ、４２１ｂを第１係止部３００ａ、３００ｂの係止リングから取り外す。すると、ポール４００ａ、４００ｂが円弧状に湾曲した状態から直線状に復元する。その後、ポール４００ａ、４００ｂの露出部４２０ａ、４２０ｂを把持して、ポール４００ａ、４００ｂの挿入部４１０ａ、４１０ｂをスリーブ２００ａ、２００ｂから抜く。このようにしてポール４００ａ、４００ｂが屋根部１１０から取り外されるので、テントシート１００を折り畳み、且つポール４００ａ、４００ｂを分解して、テントＴ１を袋などに収納することができる。
【００４２】
以上のようなテントＴ１およびその設営方法は、以下の技術的特徴および効果を奏する。第１に、テントＴ１の設営が容易になる。その理由は以下のとおりである。第１に、スリーブ２００ａ、２００ｂが角部１１１ａ、１１１ｄから稜線部１１３ａ、１１３ｄに沿って中間地点１１４ａ、１１４ｂまで延びているだけであり、ポール４００ａ、４００ｂの露出部４２０ａ、４２０ｂをスリーブ２００ａ、２００ｂに挿入する必要がないので、露出部４２０ａ、４２０ｂを把持してポール４００ａ、４００ｂの挿入部４１０ａ、４１０ｂのスリーブ２００ａ、２００ｂに容易に挿入することができる。第２に、ポール４００ａ、４００ｂの挿入部４１０ａ、４１０ｂのスリーブ２００ａ、２００ｂに挿入させ、ポール４００ａ、４００ｂの第１端４１１ａ、４１１ｂをスリーブ２００ａ、２００ｂの封止端部２１０ａ、２１０ｂに当接させた状態で、この当接した第１端４１１ａ、４１１ｂを支点としてポール４００ａ、４００ｂを円弧状に湾曲させ、ポール４００ａ、４００ｂの第２端４２１ａ、４２１ｂを第１係止部３００ａ、３００ｂに係止させるだけで、ポール４００ａ、４００ｂがスリーブ２００ａ、２００ｂおよび稜線部１１３ａ、１１３ｄを持ち上げて支持する。第３に、テントＴ１が少なくとも一つの吊り部５００ａ、５００ｂを備えている場合、少なくとも一つの吊り部５００ａ、５００ｂをポール４００ａ、４００ｂの露出部４２０ａ、４２０ｂに吊り下げるだけで、稜線部１１３ｂ、１１３ｃを持ち上げて支持されるので、吊り部５００ａ、５００ｂをポール４００ａ、４００ｂの露出部４２０ａ、４２０ｂに対する取付も簡単になる。上記第１〜第２の理由または第１〜第３理由から、ポール４００ａ、４００ｂのテントシート１００に対する取付が簡単になる。
【００４３】
第２に、ポール４００ａ、４００ｂの長手方向の一方側の部分である挿入部４１０ａ、４１０ｂがスリーブ２００ａ、２００ｂに挿入されている一方で、ポール４００ａ、４００ｂの残りの部分である露出部４２０ａがスリーブ２００ａ、２００ｂ外に露出しているので、テントＴ１の設営方法を複雑化せずに、新たなデザインのテントＴ１を得ることができる。
【００４４】
第３に、第２係止部７００ａ、７００ｂがスリーブ２００ａ、２００ｂの封止端部２１０ａ、２１０ｂに設けられており、且つ第１係止部３００ａ、３００ｂおよび第２係止部７００ａ、７００ｂが、係止具によって地面に係止可能である場合、テントＴ１を地面に安定的に固定できる。
【実施例２】
【００４５】
以下、本発明の実施例２に係るテントＴ２について図３Ａ〜図３Ｆを参照しつつ説明する。テントＴ２は、スリーブ２００ａ’、２００ｂ’の構成がテントＴ１のスリーブ２００ａ、２００ｂの構成と相違する以外、テントＴ１とほぼ同じ構成である。以下、その相違点についてのみ詳しく説明し、テントＴ１と重複する説明は省略する。なお、図３Ｃでは、屋根部１１０は膨張状態で平面視において略正方形であるが、テントＴ１同様に略長方形とすることが可能である。
【００４６】
スリーブ２００ａ’は、角部１１１ａ（第１部）から稜線部１１３ａ（第１稜線部）および稜線部１１３ｂ（第２稜線部）に沿って中間地点１１４ｃ（第２中間地点）まで延びた可撓性を有するシートで構成された筒体であって、稜線部１１３ａおよび稜線部１１３ｂに接続されている。中間地点１１４ｃは、稜線部１１３ｂ上の頂部１１２と第３地点（頂部１１２と角部１１１ｂ（第２部）との間の略半分の地点）との間に設けられている。スリーブ２００ａ’は、角部１１１ａ側の封止端部２１０ａ’と、その反対側の開放端部２２０ａ’とを有している。スリーブ２００ａ’の封止端部２１０ａ’は、テントＴ１のスリーブ２００ａの封止端部２１０ａと同じ構成である。スリーブ２００ａ’の開放端部２２０ａ’は、角部１１１ｂ側に開放されている。
【００４７】
スリーブ２００ｂ’は、角部１１１ｄから稜線部１１３ｄおよび稜線部１１３ｃに沿って別の中間地点１１４ｄまで延びた可撓性を有するシートで構成された筒体であって、稜線部１１３ｄおよび稜線部１１３ｃに接続されている。中間地点１１４ｄは、稜線部１１３ｃ上の頂部１１２と第４地点（頂部１１２と角部１１１ｃとの間の略半分の地点）との間に設けられている。スリーブ２００ａ’は、角部１１１ｃ側の封止端部２１０ａ’と、その反対側の開放端部２２０ａ’とを有している。スリーブ２００ａ’の封止端部２１０ａ’は、テントＴ１のスリーブ２００ｂの封止端部２１０ｂと同じ構成である。スリーブ２００ａ’の開放端部２２０ａ’は、角部１１１ｃ側に開放されている。
【００４８】
スリーブ２００ａ’、２００ｂ’は、頂部１１２で交差している。両者の緩衝を避けるために、一方に他方が通る凹部が形成されていると良い。この場合、吊り部６００は省略される。
【００４９】
ポール４００ａの挿入部４１０ａがスリーブ２００ａを上方に持ち上げて支持することにより、屋根部１１０の稜線部１１３ａ、１１３ｂがポール４００ａの挿入部４１０ａによって持ち上げられて支持される。この状態で、露出部４２０ａは、スリーブ２００ａの開放端部２２０ａと第１係止部３００ａとの間で稜線部１１３ｂに沿って配置されており且つ露出している。
【００５０】
ポール４００ａの挿入部４１０ｂがスリーブ２００ｂを上方に持ち上げて支持することにより、屋根部１１０の稜線部１１３ｄ、１１３ｃがポール４００ｂの挿入部４１０ａによって持ち上げられて支持される。この状態で、露出部４２０ｂは、スリーブ２００ｂの開放端部２２０ｂと第１係止部３００ｂとの間で稜線部１１３ｃに沿って配置されており且つ露出している。
【００５１】
上記したとおり、稜線部１１３ａがスリーブ２００ａを介してポール４００ａに支持され、稜線部１１３ｂが、スリーブ２００ａを介してポール４００ａに支持されると共に、少なくとも一つの吊り部５００ａを介してポール４００ａに支持され、稜線部１１３ｄがスリーブ２００ｂを介してポール４００ｂに支持され、且つ稜線部１１３ｃがスリーブ２００ｂを介してポール４００ｂに支持されると共に、少なくとも一つの吊り部５００ｂを介してポール４００ｂに支持されることによって、テントシート１００の屋根部１１０が上方の膨張した状態（展開状態）で支持される。なお、テントＴ２でも、吊り部５００ａ、５００ｂは省略可能である。
【００５２】
上記したテントＴ２は、テントＴ１と同様の方法で設営される。また、テントＴ２およびその設営方法は、テントＴ１およびその設営方法と同様の技術的特徴および効果を奏する。
【実施例３】
【００５３】
以下、本発明の実施例３に係るテントＴ３について図４Ａ〜図４Ｆを参照しつつ説明する。テントＴ３はテントシート８００を備えている。テントシート８００は、屋根部８１０を有している。屋根部８１０は平面視において略矩形状であって、上側に膨張可能な可撓性を有するシートである。なお、図４Ｃでは、屋根部８１０は膨張状態で平面視において平面視において略長方形であるが、略正方形とすることも可能である。
【００５４】
屋根部８１０は、第１端８０１ａと、第２端８０１ｂと、二つの頂部８０３ａ、８０３ｂと、八つの稜線部８０４ａ（第１稜線部）、８０４ｂ（第２稜線部）、８０４ｃ、８０４ｄと、８０４ｅ、８０４ｆ、８０４ｇ、８０４ｈとを有している。
【００５５】
第１端８０１ａは、図４Ｃおよび図４Ｄに示されるように、屋根部８１０の一方の端であって、二つの角部８１１ａ、８１１ｂと、二つの中間部８１２ａ、８１２ｂを有している。角部８１１ａは、第１端８０１ａの長手方向の一端に設けられており、角部８１１ｂは第１端８０１ａの長手方向の他端に設けられている。中間部８１２ａ、８１２ｂは、第１端８０１ａの角部８１１ａ、８１１ｂの間に設けられており、中間部８１２ａは中間部８１２ｂよりも角部８１１ｂ側に位置し、中間部８１２ｂは中間部８１２ａよりも角部８１１ａ側に位置している。
【００５６】
第２端８０１ｂは、屋根部８１０の他方の端であって、二つの角部８１１ｃ、８１１ｄと、二つの中間部８１２ｃ、８１２ｄを有している。角部８１１ｃは、第２端８０１ｂの長手方向の一端に設けられており、角部８１１ｄは第２端８０１ｂの長手方向の他端に設けられている。中間部８１２ｃ、８１２ｄは、第２端８０１ｂの角部８１１ｃ、８１１ｄの間に設けられており、中間部８１２ｃは中間部８１２ｄよりも角部８１１ｄ側に位置し、中間部８１２ｄは中間部８１２ｃよりも角部８１１ｃ側に位置している。
【００５７】
頂部８０３ａは、屋根部８１０の角部８１１ａ、８１１ｃと中間部８１２ａ、８１２ｃとにより区画される第１領域に設けられた頂部である。角部８１１ａ（第１部）と中間部８１２ｃ（第２部）は頂部８０３ａを挟んで互いに反対側に位置しており、角部８１１ｃ（第２部）と中間部８１２ａ（第１部）は頂部８０３ａを挟んで互いに反対側に位置している。
頂部８０３ｂは、屋根部８１０の角部８１１ｂ、８１１ｄと中間部８１２ｂ、８１２ｄとにより区画される第２領域に設けられた頂部である。角部８１１ｂ（第１部）と中間部８１２ｄ（第２部）は頂部８０３ｂを挟んで互いに反対側に位置しており、角部８１１ｄ（第２部）と中間部８１２ｂ（第１部）は頂部８０３ｂを挟んで互いに反対側に位置している。
【００５８】
頂部８０３ａ、８０３ｂは、屋根部８１０の中央部にテントＴ３の長手方向に間隔をあけて配置されている。頂部８０３ａの高さは、図４Ａ〜図４Ｆに示すように、頂部８０３ｂの高さよりも高くても良いし、その逆でも良い。また、頂部８０３ａ、８０３ｂの高さは、同じであっても良い。
【００５９】
稜線部８０４ａ（第１稜線部）は、屋根部８１０の角部８１１ａから頂部８０３ａまでの部分である。稜線部８０４ｂ（第２稜線部）は、屋根部８１０の頂部８０３ａから中間部８１２ｃまでの部分であって、稜線部８０４ａに連続して延びている。稜線部８０４ｃ（第２稜線部）は、屋根部８１０の角部８１１ｃから頂部８０３ａまでの部分である。稜線部８０４ｄ（第１稜線部）は、屋根部８１０の頂部８０３ａから中間部８１２ａまでの部分であって、稜線部８０４ｃに連続して延びている。稜線部８０４ａ、８０４ｂと稜線部８０４ｃ、８０４ｄは、平面視において頂部８０３ａで互いに交差している。
稜線部８０４ｅ（第１稜線部）は、屋根部８１０の角部８１１ｂから頂部８０３ｂまでの部分である。稜線部８０４ｆ（第２稜線部）は、屋根部８１０の頂部８０３ｂから中間部８１２ｄまでの部分であって、稜線部８０４ｅに連続して延びている。稜線部８０４ｇ（第２稜線部）は、屋根部８１０の角部８１１ｄから頂部８０３ｂまでの部分である。稜線部８０４ｈ（第１稜線部）は、屋根部８１０の頂部８０３ｂから中間部８１２ｂまでの部分であって、稜線部８０４ｇに連続して延びている。稜線部８０４ｅ、８０４ｆと稜線部８０４ｇ、８０４ｈは、平面視において頂部８０３ｂで互いに交差している。
【００６０】
屋根部８１０は、第１、第２、第３、第４面、第５面、第６面、第７面および第８面をさらに有している。第１面は稜線部８０４ａと稜線部８０４ｃで区画されている。第２面は稜線部８０４ｅと稜線部８０４ｇで区画されている。第３面は稜線部８０４ａと稜線部８０４ｄで区画されている。第４面は稜線部８０４ｃと稜線部８０４ｂで区画されている。第５面は稜線部８０４ｅと稜線部８０４ｈで区画されている。第６面は稜線部８０４ｇと稜線部８０４ｆで区画されている。第７面は稜線部８０４ｄと稜線部８０４ｈで区画されている。第８面は稜線部８０４ｂと稜線部８０４ｆで区画されている。第１面〜第８面の少なくとも一つに出入口が設けられていると良い。第１面〜第８面の少なくとも一つに、通気窓が設けられていても良いが、これに限定されるものではない。
【００６１】
テントシート８００は、図４Ａ〜図４Ｆに示すように底部を備えていないが、底部を備えた構成とすることが可能である。底部は、平面視において屋根部８１０とほぼ同じ略矩形状の可撓性を有するシートである。底部と屋根部８１０とは各辺同士が接続されている。
【００６２】
テントＴ３は、四つのスリーブ２００ａ’’、２００ｂ’’、２００ｃ’’、２００ｄ’’を備えている。
【００６３】
スリーブ２００ａ’’は、下記ａ）またはｂ）の構成とすることが可能である。
ａ）スリーブ２００ａ’’は、角部８１１ａから稜線部８０４ａおよび稜線部８０４ｂに沿って中間地点８１３ａ（第２中間地点）まで延びた可撓性を有するシートで構成された筒体であって、稜線部８０４ａおよび稜線部８０４ｂに接続されている。中間地点８１３ａは、稜線部８０４ｂ上の頂部８０３ａと第１地点（頂部８０３ａと中間部８１２ｃとの間の略半分の地点）との間に設けられている。
ｂ）スリーブ２００ａ’’は、角部８１１ａから稜線部８０４ａに沿って別の中間地点（第１中間地点）まで延びた可撓性を有するシートで構成された筒体であって、稜線部８０４ａに接続されている。中間地点は、稜線部８０４ａ上の第２地点（角部８１１ａから頂部８０３ａまでの略２/３の地点）と頂部８０３ａとの間に設けられている。
上記ａ）およびｂ）の何れの場合も、スリーブ２００ａ’’は、角部８１１ａ側の封止端部２１０ａ’’と、その反対側の開放端部２２０ａ’’とを有している。封止端部２１０ａ’’は、テントＴ１のスリーブ２００ａの封止端部２１０ａと同じ構成である。開放端部２２０ａ’’は、上記ａ）の場合、中間部８１２ｃ側に開放されており、上記ｂ）の場合、頂部８０３ａ側に開放されている。
【００６４】
スリーブ２００ｂ’’は、下記ｃ）またはｄ）の構成とすることが可能である。
ｃ）スリーブ２００ｂ’’は、中間部８１２ａから稜線部８０４ｄおよび稜線部８０４ｃに沿って中間地点８１３ｂ（第２中間地点）まで延びた可撓性を有するシートで構成された筒体であって、稜線部８０４ｄおよび稜線部８０４ｃに接続されている。中間地点８１３ｂは、稜線部８０４ｃ上の頂部８０３ａと第３地点（頂部８０３ａと角部８１１ｃとの間の略半分の地点）との間に設けられている。
ｄ）スリーブ２００ｂ’’は、中間部８１２ａから稜線部８０４ｄに沿って別の中間地点（第１中間地点）まで延びた可撓性を有するシートで構成された筒体であって、稜線部８０４ｄに接続されている。別の中間地点は、稜線部８０４ｄ上の第４地点（中間部８１２ａから頂部８０３ａまでの略２/３の地点）と頂部８０３ａとの間に設けられている。
上記ｃ）およびｄ）の何れの場合も、スリーブ２００ｂ’’は、中間部８１２ａ側の封止端部２１０ｂ’’と、その反対側の開放端部２２０ｂ’’とを有している。封止端部２１０ｂ’’は、テントＴ１のスリーブ２００ａの封止端部２１０ａと同じ構成である。開放端部２２０ｂ’’は、上記ｃ）の場合、角部８１１ｃ側に開放されており、上記ｄ）の場合、頂部８０３ａ側に開放されている。
【００６５】
スリーブ２００ａ’’が上記ａ）であり、スリーブ２００ｂ’’が上記ｃ）である場合、スリーブ２００ａ’’、２００ｂ’’は頂部８０３ａで交差している。両者の緩衝を避けるために、一方に他方が通る凹部が形成されていると良い。この場合、頂部８０３ａに吊り部６００（図１Ａおよび図２を借りて参照）は設けられていない。一方、スリーブ２００ａ’’が上記ｂ）であり、スリーブ２００ｂ’’が上記ｄ）である場合、頂部８０３ａには吊り部６００が設けられていると良い。この吊り部６００は、頂部８０３ａから離れるように延びている以外、テントＴ１と同様に、後述するポール４００ａ、４００ｂの交差部に着脱可能に吊り下げられている。
【００６６】
スリーブ２００ｃ’’は、下記ｅ）またはｆ）の構成とすることが可能である。
ｅ）スリーブ２００ｃ’’は、角部８１１ｂから稜線部８０４ｅおよび稜線部８０４ｆに沿って中間地点８１３ｃ（第２中間地点）まで延びた可撓性を有するシートで構成された筒体であって、稜線部８０４ｅおよび稜線部８０４ｆに接続されている。中間地点８１３ｃは、稜線部８０４ｆ上の頂部８０３ｂと第５地点（頂部８０３ｂと中間部８１２ｄとの間の略半分の地点）との間に設けられている。
ｆ）スリーブ２００ｃ’’は、角部８１１ｂから稜線部８０４ｅに沿って別の中間地点（第１中間地点）まで延びた可撓性を有するシートで構成された筒体であって、稜線部８０４ｅに接続されている。別の中間地点は、稜線部８０４ｅ上の第６地点（角部８１１ｂから頂部８０３ｂまでの略２/３の地点）と頂部８０３ｂとの間に設けられている。
上記ｅ）およびｆ）の何れの場合も、スリーブ２００ｃ’’は、角部８１１ｂ側の封止端部２１０ｃ’’と、その反対側の開放端部２２０ｃ’’とを有している。封止端部２１０ｃ’’は、テントＴ１のスリーブ２００ａの封止端部２１０ａと同じ構成である。開放端部２２０ｃ’’は、上記ｅ）の場合、中間部８１２ｄ側に開放されており、上記ｆ）の場合、頂部８０３ｂ側に開放されている。
【００６７】
スリーブ２００ｄ’’は、下記ｇ）またはｈ）の構成とすることが可能である。
ｇ）スリーブ２００ｄ’’は、中間部８１２ｂから稜線部８０４ｈおよび稜線部８０４ｇに沿って中間地点８１３ｄまで延びた可撓性を有するシートで構成された筒体であって、稜線部８０４ｈおよび稜線部８０４ｇに接続されている。中間地点８１３ｇは、稜線部８０４ｇ上の頂部８０３ｂと第７地点（頂部８０３ｂと角部８１１ｄとの間の略半分の地点）との間に設けられている。
ｈ）スリーブ２００ｄ’’は、中間部８１２ｂから稜線部８０４ｈに沿って別の中間地点まで延びた可撓性を有するシートで構成された筒体であって、稜線部８０４ｈに接続されている。別の中間地点は、稜線部８０４ｈ上の第８地点（中間部８１２ｂから頂部８０３ｂまでの略２/３の地点）と頂部８０３ｂとの間に設けられている。
上記ｇ）およびｈ）の何れの場合も、スリーブ２００ｄ’’は、中間部８１２ｂ側の封止端部２１０ｄ’’と、その反対側の開放端部２２０ｄ’’とを有している。封止端部２１０ｄ’’は、テントＴ１のスリーブ２００ａの封止端部２１０ａと同じ構成である。開放端部２２０ｄ’’は、上記ｇ）の場合、角部８１１ｄ側に開放されており、上記ｈ）の場合、頂部８０３ｂ側に開放されている。
【００６８】
スリーブ２００ｃ’’が上記ｅ）であり、スリーブ２００ｄ’’が上記ｇ）である場合、スリーブ２００ｃ’’、２００ｄ’’は頂部８０３ｂで交差している。両者の緩衝を避けるために、一方に他方が通る凹部が形成されていると良い。この場合、頂部８０３ｂに吊り部６００（図１Ａおよび図２を借りて参照）は設けられていない。一方、スリーブ２００ｃ’’が上記ｆ）であり、スリーブ２００ｄ’’が上記ｈ）である場合、頂部８０３ｂには吊り部６００が設けられていると良い。この吊り部６００は、頂部８０３ｂから離れるように延びている以外、テントＴ１と同様に、後述するポール４００ｃ、４００ｄの交差部に着脱可能に吊り下げられている。
【００６９】
テントＴ３は、図４Ｆに最も良く示されるように、四つの第１係止部３００ａ’、３００ｂ’、３００ｃ’、３００ｄ’をさらに備えている。第１係止部３００ａ’は、中間部８１２ｃに設けられている以外、テントＴ１の第１係止部３００ａと同様の構成とすることが可能である。第１係止部３００ｂ’は、角部８１１ｃに設けられている以外、テントＴ１の第１係止部３００ａと同様の構成とすることが可能である。第１係止部３００ｃ’は、中間部８１２ｄに設けられている以外、テントＴ１の第１係止部３００ａと同様の構成とすることが可能である。第１係止部３００ｄ’は、角部８１１ｄに設けられている以外、テントＴ１の第１係止部３００ａと同様の構成とすることが可能である。
【００７０】
テントＴ３は、四つのポール４００ａ、４００ｂ、４００ｃ、４００ｄをさらに備えていている。テントＴ３のポール４００ａは、テントＴ１のポール４００ａと同様の構成である。ポール４００ａの挿入部４１０ａは、開放端部２２０ａ’’からスリーブ２００ａ’’内に挿入されており、挿入部４１０ａの第１端４１１ａ’’が開放端部２２０ａ’’の底に当接する一方、ポール４００ａの第２端４２１ａは、第１係止部３００ａ’の係止リングに挿入され、係止されている。これにより、ポール４００ａが円弧状に湾曲し、ポール４００ａの挿入部４１０ａがスリーブ２００ａ’’を上方に持ち上げて支持する。これに伴い、屋根部８１０の稜線部８０４ａ、８０４ｂまたは稜線部８０４ａもポール４００ａの挿入部４１０ａによって持ち上げられて支持される。この状態で、露出部４２０ａは、スリーブ２００ａ’’の開放端部２２０ａ’’と第１係止部３００ａ’との間で稜線部８０４ｂに沿って配置されており且つ露出している。
【００７１】
テントＴ３のポール４００ｂは、テントＴ１のポール４００ｂと同様の構成である。ポール４００ｂの挿入部４１０ｂは、開放端部２２０ｂ’’からスリーブ２００ｂ’’内に挿入されており、挿入部４１０ｂの第１端４１１ｂ’’が開放端部２２０ｂ’’の底に当接する一方、ポール４００ｂの第２端４２１ｂは、第１係止部３００ｂ’の係止リングに挿入され、係止されている。これにより、ポール４００ｂが円弧状に湾曲し、ポール４００ｂの挿入部４１０ｂがスリーブ２００ｂ’’を上方に持ち上げて支持する。これに伴い、屋根部８１０の稜線部８０４ｄ、８０４ｃまたは稜線部８０４ｄもポール４００ｂの挿入部４１０ｂによって持ち上げられて支持される。この状態で、露出部４２０ｂは、スリーブ２００ｂ’’の開放端部２２０ｂ’’と第１係止部３００ｂ’との間で稜線部８０４ｃに沿って配置されており且つ露出している。
【００７２】
テントＴ３のポール４００ｃは、テントＴ１のポール４００ａと同様の構成である。ポール４００ｃの挿入部４１０ｃは、開放端部２２０ｃ’’からスリーブ２００ｃ’’内に挿入されており、挿入部４１０ｃの第１端４１１ｃ’’が開放端部２２０ｃ’’の底に当接する一方、ポール４００ｃの第２端４２１ｃは、第１係止部３００ｃ’の係止リングに挿入され、係止されている。これにより、ポール４００ｃが円弧状に湾曲し、ポール４００ｃの挿入部４１０ｃがスリーブ２００ｃ’’を上方に持ち上げて支持する。これに伴い、屋根部８１０の稜線部８０４ｅ、８０４ｆまたは稜線部８０４ｅもポール４００ｃの挿入部４１０ｃによって持ち上げられて支持される。この状態で、露出部４２０ｃは、スリーブ２００ｃ’’の開放端部２２０ｃ’’と第１係止部３００ｃ’との間で稜線部８０４ｆに沿って配置されており且つ露出している。
【００７３】
テントＴ３のポール４００ｄは、テントＴ１のポール４００ｂと同様の構成である。ポール４００ｄの挿入部４１０ｄは、開放端部２２０ｄ’’からスリーブ２００ｄ’’内に挿入されており、挿入部４１０ｄの第１端４１１ｄ’’が開放端部２２０ｄ’’の底に当接する一方、ポール４００ｄの第２端４２１ｄは、第１係止部３００ｄ’の係止リングに挿入され、係止されている。これにより、ポール４００ｄが円弧状に湾曲し、ポール４００ｄの挿入部４１０ｄがスリーブ２００ｄ’’を上方に持ち上げて支持する。これに伴い、屋根部８１０の稜線部８０４ｈ、８０４ｇまたは稜線部８０４ｈもポール４００ｄの挿入部４１０ｄによって持ち上げられて支持される。この状態で、露出部４２０ｄは、スリーブ２００ｄ’’の開放端部２２０ｄ’’と第１係止部３００ｄ’との間で稜線部８０４ｇに沿って配置されており且つ露出している。
【００７４】
テントＴ１は、図４Ｆに最も良く示されるように、少なくとも一つの吊り部５００ａ、５００ｂ、５００ｃ、５００ｄをさらに備えていても良い。
少なくとも一つの吊り部５００ａは、屋根部８１０の稜線部８０４ｂに設けられおり、スリーブ２００ａ’’の開放端部２２０ａ’’と第１係止部３００ａ’との間に位置し、且つポール４００ａの露出部４２０ａに着脱可能に吊り下げられている。これにより、屋根部８１０の稜線部８０４ｂが少なくとも一つの吊り部５００ａを介してポール４００ａによって持ち上げられ、支持される。この少なくとも一つの吊り部５００ａは、テントＴ１の少なくとも一つの吊り部５００ａと同様の構成とすることが可能である。
【００７５】
少なくとも一つの吊り部５００ｂは、屋根部８１０の稜線部８０４ｃに設けられおり、スリーブ２００ｂ’’の開放端部２２０ｂ’’と第１係止部３００ｂ’との間に位置し、且つポール４００ｂの露出部４２０ｂに着脱可能に吊り下げられている。これにより、屋根部８１０の稜線部８０４ｃが少なくとも一つの吊り部５００ｂを介してポール４００ｂによって持ち上げられ、支持される。この少なくとも一つの吊り部５００ｂは、テントＴ１の少なくとも一つの吊り部５００ｂと同様の構成とすることが可能である。
【００７６】
少なくとも一つの吊り部５００ｃは、屋根部８１０の稜線部８０４ｆに設けられおり、スリーブ２００ｃ’’の開放端部２２０ｃ’’と第１係止部３００ｃ’との間に位置し、且つポール４００ｃの露出部４２０ｃに着脱可能に吊り下げられている。これにより、屋根部８１０の稜線部８０４ｆが少なくとも一つの吊り部５００ａを介してポール４００ａによって持ち上げられ、支持される。この少なくとも一つの吊り部５００ｃは、テントＴ１の少なくとも一つの吊り部５００ａと同様の構成とすることが可能である。
【００７７】
少なくとも一つの吊り部５００ｄは、屋根部８１０の稜線部８０４ｇに設けられおり、スリーブ２００ｄ’’の開放端部２２０ｄ’’と第１係止部３００ｄ’との間に位置し、且つポール４００ｄの露出部４２０ｄに着脱可能に吊り下げられている。これにより、屋根部８１０の稜線部８０４ｇが少なくとも一つの吊り部５００ｄを介してポール４００ｄによって持ち上げられ、支持される。この少なくとも一つの吊り部５００ｄは、テントＴ１の少なくとも一つの吊り部５００ｂと同様の構成とすることが可能である。
【００７８】
テントＴ３は、テントＴ１と同様に、四つの第２係止部をさらに備えていても良い。一つ目の第２係止部の一つは、スリーブ２００ａ’’の封止端部２１０ａ’’に設けられている以外、テントＴ１の第２係止部７００ａと同様の構成である。二つ目の第２係止部は、スリーブ２００ｂ’’の封止端部２１０ｂ’’に設けられている以外、テントＴ１の第２係止部７００ａと同様の構成である。三つ目の第２係止部は、スリーブ２００ｃ’’の封止端部２１０ｃ’’に設けられている以外、テントＴ１の第２係止部７００ａと同様の構成である。四つ目の第２係止部は、スリーブ２００ｄ’’の封止端部２１０ｄ’’に設けられている以外、テントＴ１の第２係止部７００ａと同様の構成である。なお、第２係止部は省略可能である。
【００７９】
以下、上記したテントＴ３の設営方法について詳しく説明する。まず、テントシート８００を用意し、且つポール４００ａを用意する。その後、テントＴ１のポール４００ａの屋根部１１０に対する取り付け工程と同様に、ポール４００ａを屋根部８１０に取り付ける。このとき、ポール４００ａの挿入部４１０ａがスリーブ２００ａ’’および屋根部８１０の稜線部８０４ａ、８０４ｂまたは稜線部８０４ａを上方に持ち上げて支持し、且つポール４００ａの露出部４２０ａがスリーブ２００ａ’’の開放端部２２０ａ’’と第１係止部３００ａ’との間で稜線部８０４ｂに沿って配置されて露出する。
【００８０】
テントＴ３が少なくとも一つの吊り部５００ａを備えている場合、ポール４００ａの取り付け後、テントＴ１の吊り部５００ａのポール４００ａの露出部４２０ａに対する吊り下げ工程と同様に、少なくとも一つの吊り部５００ａをポール４００ａの露出部４２０ａに引っ掛けるまたは結びつける。このようにして少なくとも一つの吊り部５００ａが露出部４２０ａに吊り下げられ、且つ屋根部８１０の稜線部８０４ｂが少なくとも一つの吊り部５００ａを介してポール４００ａに支持される。
【００８１】
その後、ポール４００ｂを用意する。その後、テントＴ１のポール４００ｂの屋根部１１０に対する取り付け工程と同様に、ポール４００ｂを屋根部８１０に取り付ける。このとき、ポール４００ｂの挿入部４１０ｂがスリーブ２００ｂおよび屋根部８１０の稜線部８０４ｄ、８０４ｃまたは稜線部８０４ｄを上方に持ち上げて支持し、且つポール４００ｂの露出部４２０ｂがスリーブ２００ｂ’’の開放端部２２０ｂ’’と第１係止部３００ｂ’との間で稜線部８０４ｃに沿って配置されて露出する。
【００８２】
テントＴ３が少なくとも一つの吊り部５００ｂを備えている場合、ポール４００ｂの取り付け後、テントＴ１の吊り部５００ｂのポール４００ｂの露出部４２０ｂに対する吊り下げ工程と同様に、少なくとも一つの吊り部５００ｂをポール４００ｂの露出部４２０ｂに引っ掛けるまたは結びつける。このようにして少なくとも一つの吊り部５００ｂが露出部４２０ｂに吊り下げられ、且つ屋根部８１０の稜線部８０４ｃが少なくとも一つの吊り部５００ｂを介してポール４００ｂに支持される。
【００８３】
上記したとおり、稜線部８０４ａ、８０４ｂまたは稜線部８０４ａがスリーブ２００ａを介してポール４００ａに支持され、稜線部８０４ｂが少なくとも一つの吊り部５００ａを介してポール４００ａに支持され、稜線部８０４ｄ、８０４ｃまたは稜線部８０４ｄがスリーブ２００ｂを介してポール４００ｂに支持され、且つ稜線部８０４ｃが少なくとも一つの吊り部５００ｂを介してポール４００ｂに支持されることによって、テントシート８００の屋根部８１０の第１領域が上方の膨張した状態（展開状態）で支持される。
【００８４】
ポール４００ｃを用意する。その後、テントＴ１のポール４００ａの屋根部１１０に対する取り付け工程と同様に、ポール４００ｃを屋根部８１０に取り付ける。このとき、ポール４００ｃの挿入部４１０ｃがスリーブ２００ｃ’’および屋根部８１０の稜線部８０４ｅ、８０４ｆまたは稜線部８０４ｅを上方に持ち上げて支持し、且つポール４００ｃの露出部４２０ｃがスリーブ２００ｃ’’の開放端部２２０ｃ’’と第１係止部３００ｃ’との間で稜線部８０４ｆに沿って配置されて露出する。
【００８５】
テントＴ３が少なくとも一つの吊り部５００ｃを備えている場合、ポール４００ｃの取り付け後、テントＴ１の吊り部５００ａのポール４００ａの露出部４２０ａに対する吊り下げ工程と同様に、少なくとも一つの吊り部５００ｃをポール４００ｃの露出部４２０ｃに引っ掛けるまたは結びつける。このようにして少なくとも一つの吊り部５００ｃが露出部４２０ｃに吊り下げられ、且つ屋根部８１０の稜線部８０４ｆが少なくとも一つの吊り部５００ｃを介してポール４００ｃに支持される。
【００８６】
その後、ポール４００ｄを用意する。その後、テントＴ１のポール４００ｂの屋根部１１０に対する取り付け工程と同様に、ポール４００ｄを屋根部８１０に取り付ける。このとき、ポール４００ｄの挿入部４１０ｄがスリーブ２００ｄおよび屋根部８１０の屋根部８１０の稜線部８０４ｈ、８０４ｇまたは稜線部８０４ｈを上方に持ち上げて支持し、且つポール４００ｄの露出部４２０ｄがスリーブ２００ｄ’’の開放端部２２０ｄ’’と第１係止部３００ｄ’との間で稜線部８０４ｇに沿って配置されて露出する。
【００８７】
テントＴ３が少なくとも一つの吊り部５００ｄを備えている場合、ポール４００ｄの取り付け後、テントＴ１の吊り部５００ｂのポール４００ｂの露出部４２０ｂに対する吊り下げ工程と同様に、少なくとも一つの吊り部５００ｄをポール４００ｄの露出部４２０ｄに引っ掛けるまたは結びつける。このようにして少なくとも一つの吊り部５００ｄが露出部４２０ｄに吊り下げられ、且つ屋根部８１０の稜線部８０４ｇが少なくとも一つの吊り部５００ｄを介してポール４００ｄに支持される。
【００８８】
テントＴ３が吊り部６００を備えている場合、テントＴ１の吊り部６００と同様に、頂部８０３ａから伸びる吊り部６００をポール４００ａ、４００ｂの交差部に引っ掛けるまたは結びつけ、且つ頂部８０３ｂから伸びる吊り部６００をポール４００ｃ、４００ｄの交差部に引っ掛けるまたは結びつける。このようにして一つの吊り部６００が交差部に吊り下げられ、且つ屋根部８１０の頂部８０３ａが当該吊り部６００を介して交差部に支持されると共に、もう一つの吊り部６００が交差部に吊り下げられ、且つ屋根部８１０の頂部８０３ｂが当該吊り部６００を介して交差部に支持される。
【００８９】
上記したとおり、稜線部８０４ｅ、８０４ｆまたは稜線部８０４ｅがスリーブ２００ｃを介してポール４００ｃに支持され、稜線部８０４ｆが少なくとも一つの吊り部５００ｃを介してポール４００ａに支持され、稜線部８０４ｈ、８０４ｇまたは稜線部８０４ｈがスリーブ２００ｄを介してポール４００ｄに支持され、且つ稜線部８０４ｇが少なくとも一つの吊り部５００ｄを介してポール４００ｄに支持されることによって、テントシート８００の屋根部８１０の第２領域が上方の膨張した状態（展開状態）で支持される。
【００９０】
以下、テントＴ３の収納方法について詳しく説明する。テントＴ３が少なくとも一つの吊り部５００ａ、５００ｂ、５００ｃ、５００ｄを備えている場合、少なくとも一つの吊り部５００ａ、５００ｂ、５００ｃ、５００ｄをポール４００ａ、４００ｂ、４００ｃ、４００ｄの露出部４２０ａ、４２０ｂ、４２０ｃ、４２０ｄから各々取り外す。テントＴ３が吊り部６００を備えている場合、吊り部６００をポール４００ａ、４００ｂの交差部、ポール４００ｃ、４００ｄの交差部から各々取り外す。
【００９１】
テントＴ１のポール４００ａ、４００ｂの屋根部１１０からの取外し工程と同様に、ポール４００ａ、４００ｂ、４００ｃ、４００ｄを屋根部８１０から取り外す。これにより、テントシート８００を折り畳み、且つポール４００ａ、４００ｂ、４００ｃ、４００ｄを分解して、テントＴ３を袋などに収納することができる。
【００９２】
以上のようなテントＴ３およびその設営方法は、テントＴ１およびその設営方法と同様の技術的特徴および効果を奏する。
【００９３】
なお、上記したテントは、上記実施例に限定されるものではなく、特許請求の範囲の記載範囲において任意に設計変更することが可能である。以下、詳しく述べる。
【００９４】
本発明のテントシートの屋根部は、平面視において略矩形状であることに限定されず、矩形状以外の多角形や円形とすることが可能である。本発明の屋根部が平面視において円形である場合、本発明の第１部および第２部は、テントシートの屋根部の頂部を挟んで対向する周縁部（すなわち、屋根部の端）の任意の箇所に設けることが可能である。
【００９５】
本発明の第１中間地点は、第１稜線部上の第１部から頂部までの間の任意の箇所に設けられていれば良い。本発明の第２中間地点は、第２稜線部上の頂部と第２部との間の任意の箇所に設けられていれば良い。
【００９６】
本発明の第１係止部は、上記した何れかの態様のポールが円弧状に湾曲した状態で、このポールの第２端を係止し得るものであれば、どのようなものであっても良い。例えば、本発明の第１係止部は、ポールの第２端を係止可能な凹部やポールの第２端の係止孔に挿脱可能な係止突部であっても良い。
【００９７】
なお、上記実施例の各態様及び設計変形例におけるテントの各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。
【符号の説明】
【００９８】
Ｔ１：テント
１００：テントシート
１１０：屋根部
１１１ａ：角部
１１１ｂ：角部
１１１ｃ：角部
１１１ｄ：角部
１１２：頂部
１１３ａ：稜線部
１１３ｂ：稜線部
１１３ｃ：稜線部
１１３ｄ：稜線部
１１４ａ：中間地点
１１４ｂ：中間地点
１２０：底部
２００ａ、２００ｂ：スリーブ
２１０ａ、２１０ｂ：封止端部
２２０ａ、２２０ｂ：開放端部
３００ａ、３００ｂ：第１係止部
４００ａ、４００ｂ：ポール
４１０ａ、４１０ｂ：挿入部
４１１ａ、４１１ｂ：第１端
４２０ａ、４２０ｂ：露出部
４２１ａ、４２１ｂ：第２端
５００ａ：吊り部
５００ｂ：吊り部
６００：吊り部
７００ａ：第２係止部
７００ｂ：第２係止部
【図１Ａ】
2019044464.tif 000003
【図１Ｂ】
2019044464.tif 000004
【図１Ｃ】
2019044464.tif 000005
【図１Ｄ】
2019044464.tif 000006
【図１Ｅ】
2019044464.tif 000007
【図１Ｆ】
2019044464.tif 000008
【図２Ａ】
2019044464.tif 000009
【図２Ｂ】
2019044464.tif 000010
【図２Ｃ】
2019044464.tif 000011
【図２Ｄ】
2019044464.tif 000012
【図２Ｅ】
2019044464.tif 000013
【図２Ｆ】
2019044464.tif 000014
【図３Ａ】
2019044464.tif 000015
【図３Ｂ】
2019044464.tif 000016
【図３Ｃ】
2019044464.tif 000017
【図３Ｄ】
2019044464.tif 000018
【図３Ｅ】
2019044464.tif 000019
【図３Ｆ】
2019044464.tif 000020
【図４Ａ】
2019044464.tif 000021
【図４Ｂ】
2019044464.tif 000022
【図４Ｃ】
2019044464.tif 000023
【図４Ｄ】
2019044464.tif 000024
【図４Ｅ】
2019044464.tif 000025
【図４Ｆ】
2019044464.tif 000026